(57)【要約】【課題】硬膜外麻酔をするに際し、注射針に連通接続されたバレルに挿入されるプランジャ内に設けられた膨張部の変化を視認することで注射針が硬膜外腔に至ったことを識別する硬膜外腔識別装置において、膨張部の変化が確認しやすいものを提供する。【解決手段】筒状をし、先端部が硬膜外麻酔用の注射針５側に連通接続されるバレル２と、バレル２に基端側から出没自在に挿入されるプランジャ３と、プランジャ３の先端部に設けられ、注射針５側で空気排出が規制された状態でプランジャ３を押し込むことにより内圧が陽圧状態となってプランジャ３内で基端側に膨張する膨張部４ｄを有する膨張部材４と、を備え、前記プランジャは、前記内圧が変化したときに、膨張部材基端部４ｅの変位を視認するための窓部９が開設されたものとする。【選択図】図３
2018094278.tif 000002
【特許請求の範囲】
【請求項１】
筒状をし、先端部が硬膜外麻酔用の注射針側に連通接続されるバレルと、
バレルに基端側から出没自在に挿入されるプランジャと、
プランジャの先端部に設けられ、注射針側で空気排出が規制された状態でプランジャを押し込むことにより内圧が陽圧状態となってプランジャ内で基端側に膨張する膨張部を有する膨張部材と、を備えて構成される、注射針の針先が硬膜外腔に達したことを識別するための硬膜外腔識別装置であって、
前記プランジャは、前記内圧が変化したときに、膨張部材基端部の変位を視認するための窓部が開設されていることを特徴とする硬膜外腔識別装置。
【請求項２】
前記プランジャは、窓部の先端側に筒部を備えており、
該プランジャ筒部は、中空で基端が開口しており、
前記膨張部材は、非膨張状態では基端がプランジャ筒部の基端面と面一状である一方、膨張状態では基端がプランジャ筒部の基端面から窓部側に突出するよう変位することを特徴とする請求項1記載の硬膜外腔識別装置。
【請求項３】
前記膨張部材は、基端部として中実の突出部を備えており、該突出部は、プランジャ筒部の内周面に移動可能に摺接していることを特徴とする請求項２記載の硬膜外腔識別装置。
【請求項４】
前記突出部は、着色されていることを特徴とする請求項３記載の硬膜外腔識別装置。
【請求項５】
前記バレルには、保持部が設けられており、前記プランジャは、バレルへの挿入時に所定位置で前記保持部に係止する係止部を備えていることを特徴とする請求項１から４の何れか１記載の硬膜外腔識別装置。
【請求項６】
前記保持部又は前記係止部は、軸方向に異なる位置に複数設けられていることを特徴とする請求項５記載の硬膜外腔識別装置。
【発明の詳細な説明】
【技術分野】
【０００１】
本発明は、外科、産科等において各種の鎮痛処置を行うときに実行される硬膜外麻酔をするに際して針先が硬膜外腔に至ったことを識別するための識別装置の技術分野に関するものである。
【背景技術】
【０００２】
硬膜外麻酔は、外科、産科等における各種の鎮痛処置に採用されている局所麻酔であるが、麻酔をするに際し、注射針の針先が脊柱の硬膜外腔（空間）に穿刺されていることを識別することが要求される。この識別方法としては、硬膜外腔が硬い黄色靭帯を越えた位置にあるため、タフィー針を脊柱に穿刺していったときに、針先が黄色靭帯に当たって抵抗を受けた状態から抵抗が消失することで針先が硬膜外腔に至ったものと識別する「抵抗消失法」が一般であり、この技術は、麻酔医師にとっては高度で熟練したものが要求される。
【０００３】
そこで、針先が硬膜外腔に至ったことを識別するための識別装置として、特許文献１のものが知られている。このものは、硬膜外麻酔用注射器の針先に連通接続されるバレルに、プランジャを必要量位置まで挿入した状態で注射針を穿刺し、針先が黄色靭帯に達して穿刺抵抗を感じた段階で穿刺を一端中断し、プランジャをバレル内に押し込むと、プランジャ内が陽圧状態となることにより膨張部が膨張するようになっている。その後、穿刺を再開して針先が陰圧状態の硬膜外腔に達すると、膨張部が凹んで元状態になるため、この膨張部の変化を確認することで針先が硬膜外腔に達したことを確認できるものである。
【先行技術文献】
【特許文献】
【０００４】
【特許文献１】特許第５４６７６６８号公報
【発明の概要】
【発明が解決しようとする課題】
【０００５】
しかしながら、前記特許文献１のものは、膨張部がプランジャの筒内部に設けられているため、バレルとプランジャの二つの筒体によって囲繞されることとなって膨張部の視認性が悪く、膨張部の変化の確認が困難な場合があるという問題があり、ここに本発明の解決すべき課題がある。
【課題を解決するための手段】
【０００６】
本発明は、上記の如き実情に鑑み上記課題を解決することを目的として創作されたものであって、請求項１の発明は、筒状をし、先端部が硬膜外麻酔用の注射針側に連通接続されるバレルと、バレルに基端側から出没自在に挿入されるプランジャと、プランジャの先端部に設けられ、注射針側で空気排出が規制された状態でプランジャを押し込むことにより内圧が陽圧状態となってプランジャ内で基端側に膨張する膨張部を有する膨張部材と、を備えて構成される、注射針の針先が硬膜外腔に達したことを識別するための硬膜外腔識別装置であって、前記プランジャは、前記内圧が変化したときに、膨張部材基端部の変位を視認するための窓部が開設されていることを特徴とする硬膜外腔識別装置である。
請求項２の発明は、前記プランジャは、窓部の先端側に筒部を備えており、該プランジャ筒部は、中空で基端が開口しており、前記膨張部材は、非膨張状態では基端がプランジャ筒部の基端面と面一状である一方、膨張状態では基端がプランジャ筒部の基端面から窓部側に突出するよう変位することを特徴とする請求項1記載の硬膜外腔識別装置である。
請求項３の発明は、前記膨張部材は、基端部として中実の突出部を備えており、該突出部は、プランジャ筒部の内周面に移動可能に摺接していることを特徴とする請求項２記載の硬膜外腔識別装置である。
請求項４の発明は、前記突出部は、着色されていることを特徴とする請求項３記載の硬膜外腔識別装置である。
請求項５の発明は、前記バレルには、保持部が設けられており、前記プランジャは、バレルへの挿入時に所定位置で前記保持部に係止する係止部を備えていることを特徴とする請求項１から４の何れか１記載の硬膜外腔識別装置である。
請求項６の発明は、前記保持部又は前記係止部は、軸方向に異なる位置に複数設けられていることを特徴とする請求項５記載の硬膜外腔識別装置である。
【発明の効果】
【０００７】
請求項１の発明とすることにより、膨張部の変化に伴う膨張部材基端部の変位を窓部から視認できるため、膨張部の変化、すなわち針先が硬膜外腔に至ったかの識別が容易となる。
請求項２の発明とすることにより、膨張部材の基端がプランジャの筒部の基端面と面一であるか否かを確認することで膨張部の変化が確認できるため、針先が硬膜外腔に至ったかの識別が容易となる。
請求項３の発明とすることにより、膨張時に突出部の形状が変化せずに突出することとなるため視認性がよく、針先が硬膜外腔に至ったかの識別が容易となる。
請求項４の発明とすることにより、中実の突出部が着色されて突出するため、膨張時に膨張部材基端部の色が薄くなることがなく、基端部の変位をより視認しやすくなる。
請求項５の発明とすることにより、所定位置でプランジャの位置を保持した状態とすることができるため、操作性が向上する。
請求項６の発明とすることにより、プランジャを押し込むに際して、各位置でプランジャを保持したまま穿刺することができるため、操作性が向上する。
【図面の簡単な説明】
【０００８】
【図１】（Ａ）初期位置、（Ｂ）押込位置で膨張状態、（Ｃ）押込位置で非膨張状態の硬膜外腔識別装置の正面図である。
【図２】（Ａ）初期位置、（Ｂ）初期位置から押込位置への移行中、（Ｃ）押圧位置で膨張状態の硬膜外腔識別装置の側面図である。
【図３】（Ａ）押込位置で膨張状態、（Ｂ）押込位置で非膨張状態の硬膜外腔識別装置の正面断面図である。
【図４】（Ａ）図１（Ｂ）のＡ−Ａ断面図、（Ｂ）図１（Ｂ）のＢ−Ｂ断面図、（Ｃ）図１（Ｃ）のＣ−Ｃ断面図、（Ｄ）図１（Ｂ）のＤ−Ｄ断面図である。
【発明を実施するための形態】
【０００９】
以下、本発明の実施の形態について、図面に基づいて説明する。図面において、１は硬膜外腔識別用のシリンジであって、該シリンジ１は、筒状のバレル２と、該バレル２に出没自在に挿入するプランジャ３と、該プランジャ３に設けられる膨張部材（ダイヤフラム、ガスケット）４とを備えて構成されている。
【００１０】
バレル２は、透明又は半透明で内部を視認可能な素材からなり、プランジャ３が内周内に挿入される円筒状の筒部２ａを備え、該筒部２ａの基端２ｂは開口すると共にフランジ部２ｃが形成されている。一方、筒部２ａの先端部は、有底状となって底部２ｄが形成され、該底部２ｄに、硬膜外腔穿刺用の注射針５に接続されるチューブ６の基端部６ａが着脱自在に止着されるルアーテーパー部２ｅが形成されている。また、筒部２ａの基端側の筒壁には、軸方向に異なる位置に設けられた保持部として、基端側の第一保持孔２ｆ、先端側の第二保持孔２ｇが設けられており、後述するようにプランジャ３を所定位置で保持できるようになっている。そして、筒部２ａの内周面２ｈには、第一、第二保持孔２ｆ、２ｇのあいだを接続するガイド溝２ｉが形成されている。
【００１１】
プランジャ３は、バレル２の筒部２ａ内に遊嵌状または摺動自在に内嵌する（本実施の形態では遊嵌状に内嵌している。）本体部３ａと、フランジ部３ｃが形成された基端部３ｂとを備えて構成されている。本体部３ａは、先端側に円筒状のプランジャ筒部８を、基端側に断面十字形状のプランジャ基部１０を備えており、プランジャ筒部８とプランジャ基部１０とのあいだは周回り方向に第一間隙Ｓ１を有するよう複数本（本実施の形態では３本）の柱状体９ａで連繋されており、この第一間隙Ｓ１が筒壁等のない窓部９となっている。
【００１２】
プランジャ筒部８は、先端部８ａ及び基端部８ｂが開口しており、先端部８ａの外周面には係止凹溝８ｃが形成されている。また、窓部９の外周部には、プランジャ筒部８の基端面８ｄと、プランジャ基部１０の先端部１０ａとを連繋する前記３本の柱状体９ａが等間隔に設けられている。
【００１３】
プランジャ基部１０は、バレル２の筒部２ａの内径より僅かに小径で円盤状に形成された先端部１０ａと、断面十字形状の軸部１０ｂとを備えて構成されている。先端部１０ａは、バレル２の筒部２ａの内径より僅かに小径となっているため、バレル２への挿入時に筒部２ａの内壁とのあいだに第二間隙Ｓ２が生じることとなり、窓部９の第一間隙Ｓ１と該第二間隙Ｓ２とが連通して空気が流出入するようになっている。軸部１０ｂには、バレル２の保持部（第一保持孔２ｆ、第二保持孔２ｇ）に係止する係止部として、突端が外径方向に向けて円弧状に突出した係止凸部１０ｃが形成されている。該係止凸部１０ｃは、軸部１０ｂの一部を切欠いて形成されたもので、内径方向に撓曲するよう可撓性を有していて、バレル２に挿入されたときに、第一保持孔２ｆ、第二保持孔２ｇに嵌入係止するようになっている。バレル２にプランジャ３を挿入するにあたり、第一保持孔２ｆにプランジャ３の係止凸部１０ｃを嵌入係止させた後、プランジャ３が押し込まれると、係止凸部１０ｃは内径方向に撓曲し、ガイド溝２ｉに沿って先端側に移動して第二保持孔２ｇに嵌入係止するようになっている。このようにすることで、係止凸部１０ｃがバレル２の第一保持孔２ｆに係止した位置を初期位置、第二保持孔２ｇに係止した位置を押込位置として、プランジャ３をこれら所定位置で保持したまま穿刺等の操作が行えるため、操作性が向上する。
【００１４】
膨張部材４は、シリコーンゴムや天然ゴム等のゴム質弾性材で形成されるが、該膨張部材４の外周部４ａは、プランジャ筒部８の先端部８ａの外周に外嵌した状態でバレル２の内周面２ｈに軽圧入して空気漏れが防止されると共に、プランジャ３の押し引き操作がない状態では姿勢維持（移動しない）するよう摺動自在に摺接する設定になっている。また外周部４ａの内周面にはプランジャ３の係止凹溝８ｃに嵌入する係止凸条４ｂが形成されている。
【００１５】
膨張部材４の外周部４ａから続く先端部４ｃは、外周部４ａと共に肉厚状となってプランジャ筒部８の先端部８ａに当接している。そして、該先端部４ｃの内端に続いて、プランジャ筒部８の内周面８ｅに当接して、外周部４ａと略同位置までの高さの肉薄円筒状で膨張可能な膨張部（ダイヤフラム部）４ｄが設けられている。そして、該膨張部４ｄの基端側には、膨張部材４の基端部として、中実な円柱状の突出部４ｅが形成されている。該突出部４ｅはプランジャ筒部８の内周面８ｅに移動可能に摺接していて、膨張部４ｄが膨張していない非膨張時においては、基端４ｆがプランジャ筒部８の基端面８ｄと面一状になるよう設定されている。これによって、膨張部４ｄは、陽圧状態でプランジャ３が初期位置から押込位置に移行すると基端側に膨張し、膨張時に突出部４ｅがプランジャ筒部８の基端面８ｄから突出して変位するようになっている。
【００１６】
なお、膨張部材４は、適宜の着色をしたものとすることにより、視認性を向上させることができる。膨張状態では、肉薄状の膨張部４ｄは基端側に伸張して径方向の厚さは薄くなるため色が薄くなるが、中実の突出部４ｅは色が薄くならないため、膨張部４ｄ自体を突出させたときよりも着色による視認性の向上の効果が大きくなる。
【００１７】
そして硬膜外麻酔をするに際し、注射針５の針先が硬膜外腔に達しているか否かの識別を以下のようにすることができる。まず、バレル２に対しプランジャ３を挿入し、係止凸部１０ｃをバレル２の第一保持孔２ｆに嵌入係止させてプランジャ３を初期位置に保持する。そして、注射針５とシリンジ１とをチューブ６を介して連通接続した状態で、注射針５を脊柱に穿刺していき、針先が黄色靭帯に達して穿刺抵抗を感じた段階で注射針５の穿刺を一旦中断する（図１（Ａ）の状態）。この状態では、注射針５の針先は封止された状態になっている。この状態でさらにプランジャ３を先端側に押し込み、第一保持孔２ｆに嵌入係止されていた係止凸部１０ｃをガイド溝２ｉに沿って先端側に移動させ第二保持孔２ｇに嵌入係止させてプランジャ３を押込位置とする。すると、膨張部４ｄが基端側に膨張した膨張状態となる（図１（Ｂ）、図３（Ａ）の状態）。このとき、膨張部４ｄの基端側に設けられた突出部４ｅの基端４ｆは、プランジャ筒部８の基端面８ｄから突出して窓部９の第一間隙Ｓ１内に位置することとなり、窓部９の位置から突出部４ｅの突出を容易に視認することができる。そして、この突出を確認した後、注射針５の穿刺を再開する。針先が陰圧状態の硬膜外腔に達して空気が硬膜外腔に注入されると膨張部４ｄは元の状態である非膨張状態になって（図１（Ｃ）、図３（Ｂ）の状態）、突出していた突出部４ｅの基端４ｆはプランジャ筒部８の基端面８ｄと面一状になるため、窓部９の位置から突出部４ｅの突出がなくなり面一状になったことを確認することにより、針先が硬膜外腔に達したと判断できる。以降、シリンジ１をチューブ６から外す等して硬膜外麻酔をすることができるようになっている。
【００１８】
叙述の如く構成された本実施の形態において、硬膜外麻酔をするに際し、プランジャ３を初期位置に保持した状態でシリンジ１と注射針５とを接続し、その後、注射針５を脊柱に穿刺する。針先が黄色靭帯に達した段階で穿刺を一端中断し、プランジャ３を押込位置まで押込むと、膨張部４ｄが基端側に膨張し、膨張部材基端部である突出部４ｅが基端側の窓部９の位置に変位することとなる。然る後、注射針５の穿刺を再開し、針先が硬膜外腔に達すると、膨張部４ｄが膨張したことにより陽圧になった空気が陰圧状態の硬膜外腔に流出し、これによって膨張部４ｄが元の非膨張状態となり、突出部４ｅは先端側の元の位置に変位することとなる。かかる操作に際して、窓部９から膨張部材基端部である突出部４ｅの変位を視認することで膨張部４ｄの変化の確認、すなわち針先が硬膜外腔に至ったか否かの識別が容易となっている。
【００１９】
さらに、突出部４ｅの基端４ｆは非膨張時にはプランジャ筒部８の基端面８ｄと面一状となっているため、突出部４ｅの基端４ｆがプランジャ筒部８の基端面８ｄと面一状かどうかを確認すればよく、より容易に針先が硬膜外腔に至ったか否かの識別が可能となっている。そして、膨張部４ｄではなく、中実の突出部４ｅがプランジャ筒部８の基端面８ｄから窓部９側に突出するため、突出部４ｅは膨張部４ｄの膨張時に形状が変化せずに突出することとなるため、より容易に針先が硬膜外腔に至ったか否かの識別が可能となっている。加えて、膨張部材４を着色されたものとした場合、膨張時に膨張部４ｄはより肉薄となって色が薄くなるが、突出部４ｅは色が薄くならないため、着色による視認性の向上が大きくなり、基端部の変位をより視認しやすくなっている。
【００２０】
また、バレル２には保持部として第一保持孔２ｆ及び第二保持孔２ｇが設けられており、プランジャ３にはこれら第一、第二保持孔２ｆ、２ｇに嵌入係止する係止凸部１０ｃが設けられていて、初期位置及び押込位置でそれぞれプランジャ３をバレル２に保持することができるため、プランジャ３を所定位置で確実に保持したまま穿刺することができ、操作性がよい。
【００２１】
なお、本発明は上記実施の形態の構成に限定されるものではないことは勿論である。例えば、プランジャ基部１０は断面十字形状とせず、筒状としてもよい。また、バレル２に保持部である第一保持孔２ｆ及び第二保持孔２ｇが、プランジャ３に係止部である係止凸部１０ｃがそれぞれ設けられているが、例えばバレル２の筒部２ａのない周面２ｈから内径方向に突設する保持凸部を保持部として設け、プランジャ３に保持凸部が嵌入する係止孔を係止部として設けたものとしてもよい。また、係止部と保持部の形状としては、孔に凸部の突端が嵌入係止するものに限られず、例えば、バレル２の筒部２ａの内周面２ｈに円環状の凹溝を形成してこれを保持部とし、プランジャ３に、該凹溝に内嵌する円環状の凸条を設けたものとしてもよく、バレル２に挿入されたプランジャを所定位置で保持できる種々の形状とすることができる。
【００２２】
また、膨張部材４は、膨張部４ｄの基端側に突出部４ｅを設けたものとしているが、突出部４ｅを別途設けずに、膨張状態の膨張部４ｄの基端がプランジャ３の筒部８の基端面８ｄから突出するようにして、窓部か９ら該突出を視認できるようにしたものとしてもよい。窓部９から膨張部材基端部の変位を視認する構成としては、基端４ｆの変位を確認するものに限られず、例えば、突出部４ｅの外周面に他の部位とは異なる着色を施しておき、非膨張時には該着色が窓部９からは視認できないが、膨張時には窓部９から視認できるようにしたものとすることもできる。
【００２３】
またさらに、窓部９を設けるに際し、プランジャ筒部８とプランジャ基部１０とを柱状体９ａで連繋したものとしているが、窓部９は、例えば、筒壁の一部を切り欠き形成したものでもよい。すなわち、バレル２の筒部２ａと、膨張状態で突出した突出部４ｅとのあいだに筒壁がなく第一間隙Ｓ１が形成されて窓部９が設けられれば、膨張時にはプランジャ３の筒壁によって膨張部材４の突出部４ｅが囲繞されないこととなるため、突出部４ｅの突出の有無が視認しやすくなって、注射針５の針先が硬膜外腔に達したか否かを容易に確認することができるようになるものである。
【産業上の利用可能性】
【００２４】
本発明は、硬膜外麻酔をする際に針先が硬膜外腔に達したか否かを識別する硬膜外腔識別装置に利用することができる。
【符号の説明】
【００２５】
１    シリンジ
２    バレル
２ｆ  第一保持孔（保持部）
２ｇ  第二保持孔（保持部）
３    プランジャ
４    膨張部材
４ｄ  膨張部
４ｅ  突出部（基端部）
４ｆ  （基端）
５    注射針
８    プランジャ筒部
８ｄ  基端面
８ｅ  内周面
９    窓部
１０    プランジャ基部
１０ｃ  係止凸部（係止部）
【図１】
2018094278.tif 000003
【図２】
2018094278.tif 000004
【図３】
2018094278.tif 000005
【図４】
2018094278.tif 000006
【手続補正書】
【提出日】平成29年3月29日(2017.3.29)
【手続補正１】
【補正対象書類名】明細書
【補正対象項目名】０００６
【補正方法】変更
【補正の内容】
【０００６】
本発明は、上記の如き実情に鑑み上記課題を解決することを目的として創作されたものであって、請求項１の発明は、筒状をし、先端部が硬膜外麻酔用の注射針側に連通接続されるバレルと、バレルに基端側から出没自在に挿入されるプランジャと、プランジャの先端部に設けられ、注射針側で空気排出が規制された状態でプランジャを押し込むことにより内圧が陽圧状態となってプランジャ内で基端側に膨張する膨張部を有する膨張部材と、を備えて構成される、注射針の針先が硬膜外腔に達したことを識別するための硬膜外腔識別装置であって、前記プランジャは、前記内圧が変化したときに、膨張部材基端部の変位を視認するための窓部が開設されていると共に、前記プランジャは、窓部の先端側に筒部を備えており、該プランジャ筒部は、中空で基端が開口しており、前記膨張部材は、非膨張状態では基端がプランジャ筒部の基端面と面一状である一方、膨張状態では基端がプランジャ筒部の基端面から窓部側に突出するよう変位することを特徴とする硬膜外腔識別装置である。
請求項２の発明は、前記膨張部材は、基端部として中実の突出部を備えており、該突出部は、プランジャ筒部の内周面に移動可能に摺接していることを特徴とする請求項１記載の硬膜外腔識別装置である。
請求項３の発明は、前記突出部は、着色されていることを特徴とする請求項２記載の硬膜外腔識別装置である。
請求項４の発明は、前記バレルには、保持部が設けられており、前記プランジャは、バレルへの挿入時に所定位置で前記保持部に係止する係止部を備えていることを特徴とする請求項１から３の何れか１記載の硬膜外腔識別装置である。
請求項５の発明は、前記保持部又は前記係止部は、軸方向に異なる位置に複数設けられていることを特徴とする請求項４記載の硬膜外腔識別装置である。
【手続補正２】
【補正対象書類名】明細書
【補正対象項目名】０００７
【補正方法】変更
【補正の内容】
【０００７】
請求項１の発明とすることにより、膨張部の変化に伴う膨張部材基端部の変位を窓部から視認できるため、膨張部の変化、すなわち針先が硬膜外腔に至ったかの識別が容易となる。しかも、膨張部材の基端がプランジャの筒部の基端面と面一であるか否かを確認することで膨張部の変化が確認できるため、針先が硬膜外腔に至ったかの識別が容易となる。
請求項２の発明とすることにより、膨張時に突出部の形状が変化せずに突出することとなるため視認性がよく、針先が硬膜外腔に至ったかの識別が容易となる。
請求項３の発明とすることにより、中実の突出部が着色されて突出するため、膨張時に膨張部材基端部の色が薄くなることがなく、基端部の変位をより視認しやすくなる。
請求項４の発明とすることにより、所定位置でプランジャの位置を保持した状態とすることができるため、操作性が向上する。
請求項５の発明とすることにより、プランジャを押し込むに際して、各位置でプランジャを保持したまま穿刺することができるため、操作性が向上する。
【手続補正３】
【補正対象書類名】特許請求の範囲
【補正対象項目名】全文
【補正方法】変更
【補正の内容】
【特許請求の範囲】
【請求項１】
筒状をし、先端部が硬膜外麻酔用の注射針側に連通接続されるバレルと、
バレルに基端側から出没自在に挿入されるプランジャと、
プランジャの先端部に設けられ、注射針側で空気排出が規制された状態でプランジャを押し込むことにより内圧が陽圧状態となってプランジャ内で基端側に膨張する膨張部を有する膨張部材と、を備えて構成される、注射針の針先が硬膜外腔に達したことを識別するための硬膜外腔識別装置であって、
前記プランジャは、前記内圧が変化したときに、膨張部材基端部の変位を視認するための窓部が開設されていると共に、
前記プランジャは、窓部の先端側に筒部を備えており、
該プランジャ筒部は、中空で基端が開口しており、
前記膨張部材は、非膨張状態では基端がプランジャ筒部の基端面と面一状である一方、膨張状態では基端がプランジャ筒部の基端面から窓部側に突出するよう変位することを特徴とする硬膜外腔識別装置。
【請求項２】
前記膨張部材は、基端部として中実の突出部を備えており、該突出部は、プランジャ筒部の内周面に移動可能に摺接していることを特徴とする請求項１記載の硬膜外腔識別装置。
【請求項３】
前記突出部は、着色されていることを特徴とする請求項２記載の硬膜外腔識別装置。
【請求項４】
前記バレルには、保持部が設けられており、前記プランジャは、バレルへの挿入時に所定位置で前記保持部に係止する係止部を備えていることを特徴とする請求項１から３の何れか１記載の硬膜外腔識別装置。
【請求項５】
前記保持部又は前記係止部は、軸方向に異なる位置に複数設けられていることを特徴とする請求項４記載の硬膜外腔識別装置。
【手続補正書】
【提出日】平成29年7月18日(2017.7.18)
【手続補正１】
【補正対象書類名】明細書
【補正対象項目名】０００６
【補正方法】変更
【補正の内容】
【０００６】
本発明は、上記の如き実情に鑑み上記課題を解決することを目的として創作されたものであって、請求項１の発明は、筒状をし、先端部が硬膜外麻酔用の注射針側に連通接続されるバレルと、バレルに基端側から出没自在に挿入されるプランジャと、プランジャの先端部に設けられ、注射針側で空気排出が規制された状態でプランジャを押し込むことにより内圧が陽圧状態となってプランジャ内で基端側に膨張する膨張部を有する膨張部材と、を備えて構成される、注射針の針先が硬膜外腔に達したことを識別するための硬膜外腔識別装置であって、前記プランジャは、前記内圧が変化したときに、膨張部材基端部の変位を視認するための窓部が開設されていると共に、前記プランジャは、窓部の先端側に筒部を備えており、該プランジャ筒部は、中空で基端が開口しており、前記膨張部材は、非膨張状態では基端が前記プランジャに備えた筒部の基端面と面一状である一方、膨張状態では基端が前記プランジャに備えた筒部の基端面から窓部側に突出するよう変位することを特徴とする硬膜外腔識別装置である。
請求項２の発明は、前記膨張部材は、基端部として中実の突出部を備えており、該突出部は、前記プランジャに備えた筒部の内周面に移動可能に摺接していることを特徴とする請求項１記載の硬膜外腔識別装置である。
請求項３の発明は、前記突出部は、着色されていることを特徴とする請求項２記載の硬膜外腔識別装置である。
請求項４の発明は、前記バレルには、保持部が設けられており、前記プランジャは、バレルへの挿入時に所定位置で前記保持部に係止する係止部を備えていることを特徴とする請求項１から３の何れか１記載の硬膜外腔識別装置である。
請求項５の発明は、前記保持部又は前記係止部は、軸方向に異なる位置に複数設けられていることを特徴とする請求項４記載の硬膜外腔識別装置である。
【手続補正２】
【補正対象書類名】特許請求の範囲
【補正対象項目名】全文
【補正方法】変更
【補正の内容】
【特許請求の範囲】
【請求項１】
筒状をし、先端部が硬膜外麻酔用の注射針側に連通接続されるバレルと、
バレルに基端側から出没自在に挿入されるプランジャと、
プランジャの先端部に設けられ、注射針側で空気排出が規制された状態でプランジャを押し込むことにより内圧が陽圧状態となってプランジャ内で基端側に膨張する膨張部を有する膨張部材と、を備えて構成される、注射針の針先が硬膜外腔に達したことを識別するための硬膜外腔識別装置であって、
前記プランジャは、前記内圧が変化したときに、膨張部材基端部の変位を視認するための窓部が開設されていると共に、
前記プランジャは、窓部の先端側に筒部を備えており、
該プランジャ筒部は、中空で基端が開口しており、
前記膨張部材は、非膨張状態では基端が前記プランジャに備えた筒部の基端面と面一状である一方、膨張状態では基端が前記プランジャに備えた筒部の基端面から窓部側に突出するよう変位することを特徴とする硬膜外腔識別装置。
【請求項２】
前記膨張部材は、基端部として中実の突出部を備えており、該突出部は、前記プランジャに備えた筒部の内周面に移動可能に摺接していることを特徴とする請求項１記載の硬膜外腔識別装置。
【請求項３】
前記突出部は、着色されていることを特徴とする請求項２記載の硬膜外腔識別装置。
【請求項４】
前記バレルには、保持部が設けられており、前記プランジャは、バレルへの挿入時に所定位置で前記保持部に係止する係止部を備えていることを特徴とする請求項１から３の何れか１記載の硬膜外腔識別装置。
【請求項５】
前記保持部又は前記係止部は、軸方向に異なる位置に複数設けられていることを特徴とする請求項４記載の硬膜外腔識別装置。
【手続補正書】
【提出日】平成29年8月7日(2017.8.7)
【手続補正１】
【補正対象書類名】明細書
【補正対象項目名】０００６
【補正方法】変更
【補正の内容】
【０００６】
本発明は、上記の如き実情に鑑み上記課題を解決することを目的として創作されたものであって、請求項１の発明は、筒状をし、先端部が硬膜外麻酔用の注射針側に連通接続されるバレルと、バレルに基端側から出没自在に挿入されるプランジャと、プランジャの先端部に設けられ、注射針側で空気排出が規制された状態でプランジャを押し込むことにより内圧が陽圧状態となってプランジャ内で基端側に膨張する膨張部を有する膨張部材と、を備えて構成される、注射針の針先が硬膜外腔に達したことを識別するための硬膜外腔識別装置であって、前記プランジャは、前記内圧が変化したときに、膨張部材基端部の変位を視認するための窓部が開設されていると共に、前記プランジャは、窓部の先端側に筒部を備えており、該プランジャに備えた筒部は、中空で基端が開口しており、前記膨張部材は、非膨張状態では基端が前記プランジャに備えた筒部の基端面と面一状である一方、膨張状態では基端が前記プランジャに備えた筒部の基端面から窓部側に突出するよう変位することを特徴とする硬膜外腔識別装置である。
請求項２の発明は、前記膨張部材は、基端部として中実の突出部を備えており、該突出部は、前記プランジャに備えた筒部の内周面に移動可能に摺接していることを特徴とする請求項１記載の硬膜外腔識別装置である。
請求項３の発明は、前記突出部は、着色されていることを特徴とする請求項２記載の硬膜外腔識別装置である。
請求項４の発明は、前記バレルには、保持部が設けられており、前記プランジャは、バレルへの挿入時に所定位置で前記保持部に係止する係止部を備えていることを特徴とする請求項１から３の何れか１記載の硬膜外腔識別装置である。
請求項５の発明は、前記保持部又は前記係止部は、軸方向に異なる位置に複数設けられていることを特徴とする請求項４記載の硬膜外腔識別装置である。
【手続補正２】
【補正対象書類名】特許請求の範囲
【補正対象項目名】全文
【補正方法】変更
【補正の内容】
【特許請求の範囲】
【請求項１】
筒状をし、先端部が硬膜外麻酔用の注射針側に連通接続されるバレルと、
バレルに基端側から出没自在に挿入されるプランジャと、
プランジャの先端部に設けられ、注射針側で空気排出が規制された状態でプランジャを押し込むことにより内圧が陽圧状態となってプランジャ内で基端側に膨張する膨張部を有する膨張部材と、を備えて構成される、注射針の針先が硬膜外腔に達したことを識別するための硬膜外腔識別装置であって、
前記プランジャは、前記内圧が変化したときに、膨張部材基端部の変位を視認するための窓部が開設されていると共に、
前記プランジャは、窓部の先端側に筒部を備えており、
該プランジャに備えた筒部は、中空で基端が開口しており、
前記膨張部材は、非膨張状態では基端が前記プランジャに備えた筒部の基端面と面一状である一方、膨張状態では基端が前記プランジャに備えた筒部の基端面から窓部側に突出するよう変位することを特徴とする硬膜外腔識別装置。
【請求項２】
前記膨張部材は、基端部として中実の突出部を備えており、該突出部は、前記プランジャに備えた筒部の内周面に移動可能に摺接していることを特徴とする請求項１記載の硬膜外腔識別装置。
【請求項３】
前記突出部は、着色されていることを特徴とする請求項２記載の硬膜外腔識別装置。
【請求項４】
前記バレルには、保持部が設けられており、前記プランジャは、バレルへの挿入時に所定位置で前記保持部に係止する係止部を備えていることを特徴とする請求項１から３の何れか１記載の硬膜外腔識別装置。
【請求項５】
前記保持部又は前記係止部は、軸方向に異なる位置に複数設けられていることを特徴とする請求項４記載の硬膜外腔識別装置。